【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
一度印刷した印刷データに基づく再印刷が可能な印刷装置であって、
前記印刷データを当該印刷装置に供給した供給元を判別する判別手段と、
前記判別手段によって判別された供給元に基づいて、前記印刷データを保存するか否かを決定する決定手段と、
前記決定手段によって保存すると決定された印刷データを保存する第１の保存手段と、
前記決定手段によって印刷データを保存すると決定された場合は、前記第１の保存手段に保存された印刷データを取得するための情報である第１の情報を保存し、前記決定手段によって印刷データを保存しないと決定された場合は、前記印刷データを前記判別手段によって判別された供給元から取得するための情報である第２の情報を保存する第２の保存手段と、
前記印刷データに基づく再印刷の要求に応じて、前記第２の保存手段に保存された第１の情報または第２の情報によって特定される印刷データを取得し、取得した印刷データに基づいて印刷する再印刷手段とを備えることを特徴とする印刷装置。
【請求項２】
前記第２の保存手段に保存される第１の情報は、前記第１の保存手段に保存された印刷データへの参照情報であり、
前記第２の保存手段に保存される第２の情報は、前記判別手段によって判別された供給元の外部記憶装置に格納されている印刷データへの参照情報であることを特徴とする請求項１に記載の印刷装置。
【請求項３】
前記再印刷の要求があった場合、前記第２の保存手段に保存された第２の情報に基づいて特定される印刷データを格納する外部記憶装置が接続されているか否かを判定する判定手段を備え、
前記再印刷手段は、前記判定手段によって外部記憶装置が接続されていると判定された場合に、前記第２の保存手段に保存された第２の情報に基づいて特定される印刷データを前記外部記憶装置から取得し、取得した印刷データを印刷することを特徴とする請求項１又は２に記載の印刷装置。
【請求項４】
前記供給元の装置が、スキャナ装置或いはファクシミリ装置であった場合、前記決定手段は、前記印刷データを保存すると決定することを特徴とする請求項１ないし請求項３のいずれか１項に記載の印刷装置。
【請求項５】
前記供給元の装置が、前記印刷装置と着脱可能な外部記憶装置、或いは、前記印刷装置とネットワークを介して通信可能な外部記憶装置であった場合、前記決定手段は、前記印刷データを保存しないと決定することを特徴とする請求項１ないし請求項４のいずれか１項に記載の印刷装置。
【請求項６】
前記第２の保存手段は、更にパスワードを保存し、
前記再印刷の要求があった場合、ユーザの指示にしたがってパスワードを入力する入力手段と、
前記入力手段によって入力されたパスワードと前記第２の保存手段に保存されたパスワードとを比較することにより認証する認証手段とを更に備え、
前記再印刷手段は、前記認証手段によって認証が成功した場合に、前記印刷データに基づいて再印刷することを特徴とする請求項１乃至５の何れか１項に記載の印刷装置。
【請求項７】
前記再印刷の要求があった場合に印刷履歴を一覧表示する表示手段と、
前記表示手段によって一覧表示された印刷履歴から、ユーザに再印刷の対象となる印刷履歴を選択させる選択手段とを備えることを特徴とする請求項１ないし請求項６のいずれか１項に記載の印刷装置。
【請求項８】
一度印刷した印刷データに基づく再印刷が可能な印刷装置で実行される印刷方法であって、
前記印刷データを当該印刷装置に供給した供給元を判別する判別ステップと、
前記判別ステップで判別した供給元に基づいて、前記印刷データを第１の保存手段に保存するか否かを決定する決定ステップと、
前記決定ステップで保存すると決定した印刷データを前記第１の保存手段に保存する第１の保存ステップと、
前記決定ステップで印刷データを保存すると決定した場合は、前記第１の保存ステップで前記第１の保存手段に保存した印刷データを取得するための情報である第１の情報を第２の保存手段に保存し、前記決定ステップで印刷データを保存しないと決定した場合は、前記印刷データを前記判別ステップで判別した供給元から取得するための情報である第２の情報を前記第２の保存手段に保存する第２の保存ステップと、
前記印刷データに基づく再印刷の要求に応じて、前記第２の保存ステップで前記第２の保存手段に保存した第１の情報または第２の情報によって特定される印刷データを取得し、取得した印刷データに基づいて印刷する再印刷ステップとを有することを特徴とする印刷方法。
【請求項９】
請求項８に記載の印刷方法を印刷装置に実行させるための、コンピュータが読み取り可能なプログラム。
【手続補正２】
【補正対象書類名】明細書
【補正対象項目名】０００６
【補正方法】変更
【補正の内容】
【０００６】
上記の目的を達成するための本発明の一態様による印刷装置は以下の構成を備える。即ち、
一度印刷した印刷データに基づく再印刷が可能な印刷装置であって、
前記印刷データを当該印刷装置に供給した供給元を判別する判別手段と、
前記判別手段によって判別された供給元に基づいて、前記印刷データを保存するか否かを決定する決定手段と、
前記決定手段によって保存すると決定された印刷データを保存する第１の保存手段と、
前記決定手段によって印刷データを保存すると決定された場合は、前記第１の保存手段に保存された印刷データを取得するための情報である第１の情報を保存し、前記決定手段によって印刷データを保存しないと決定された場合は、前記印刷データを前記判別手段によって判別された供給元から取得するための情報である第２の情報を保存する第２の保存手段と、
前記印刷データに基づく再印刷の要求に応じて、前記第２の保存手段に保存された第１の情報または第２の情報によって特定される印刷データを取得し、取得した印刷データに基づいて印刷する再印刷手段とを備える。
【手続補正３】
【補正対象書類名】明細書
【補正対象項目名】０００７
【補正方法】変更
【補正の内容】
【０００７】
更に、上記の目的を達成するための本発明の一態様による印刷方法は、
一度印刷した印刷データに基づく再印刷が可能な印刷装置で実行される印刷方法であって、
前記印刷データを当該印刷装置に供給した供給元を判別する判別ステップと、
前記判別ステップで判別した供給元に基づいて、前記印刷データを第１の保存手段に保存するか否かを決定する決定ステップと、
前記決定ステップで保存すると決定した印刷データを前記第１の保存手段に保存する第１の保存ステップと、
前記決定ステップで印刷データを保存すると決定した場合は、前記第１の保存ステップで前記第１の保存手段に保存した印刷データを取得するための情報である第１の情報を第２の保存手段に保存し、前記決定ステップで印刷データを保存しないと決定した場合は、前記印刷データを前記判別ステップで判別した供給元から取得するための情報である第２の情報を前記第２の保存手段に保存する第２の保存ステップと、
前記印刷データに基づく再印刷の要求に応じて、前記第２の保存ステップで前記第２の保存手段に保存した第１の情報または第２の情報によって特定される印刷データを取得し、取得した印刷データに基づいて印刷する再印刷ステップとを有する。
【手続補正４】
【補正対象書類名】明細書
【補正対象項目名】発明の名称
【補正方法】変更
【補正の内容】
【発明の名称】印刷装置及び印刷方法